【手続補正書】
【提出日】平成27年2月24日(2015.2.24)
【手続補正１】
【補正対象書類名】特許請求の範囲
【補正対象項目名】全文
【補正方法】変更
【補正の内容】
【特許請求の範囲】
【請求項１】
遊技領域に向けて遊技球が打ち込まれる遊技盤と、
前記遊技領域に向けて打ち込まれた遊技球に対して常に開口される第１受入口と、
可動部材を有し、前記遊技領域に向けて打ち込まれた遊技球に対して該可動部材が開閉動作したときに開口される第２受入口と、
前記遊技領域に設けられる普通受入口と、
前記普通受入口に遊技球が受け入れられることに応じて普通抽選を行う普通抽選手段と、
前記普通抽選手段により前記普通抽選が行われることに基づいて所定の表示部に変動表示される普通図柄の変動時間を決定する普通変動時間決定手段と、
前記普通変動時間決定手段により決定された変動時間だけ前記普通図柄を変動表示させる普通変動制御手段と、
前記普通抽選手段による抽選結果が所定の結果であるとき、前記普通変動時間決定手段により決定される所定時間だけ前記普通図柄を変動表示させた後、前記可動部材を開閉動作させる制御を行う開口制御手段と、
前記第１受入口、及び前記可動部材の開閉動作によって開口された前記第２受入口のいずれかに遊技球が受け入れられたことに応じて特別抽選を行う特別抽選手段と、
前記特別抽選手段により前記特別抽選が行われるとき、所定の表示部に表示される特別図柄の変動表示を行うにあたり、当該変動表示に要する特別変動時間を決定し、該決定された特別変動時間だけ前記特別図柄を変動表示させる特別変動制御手段と、
前記特別抽選手段による前記特別抽選の結果が大当たりであることに応じて、遊技者により賞球が獲得可能とされる特別遊技についての制御を実行可能な特別遊技制御手段と、
前記特別遊技制御手段により特別遊技が行われた後に、前記第２受入口への入球が相対的に困難とされる第１の遊技状態から、該第１の遊技状態よりも前記第２受入口の開口頻度が高められて同第２受入口への入球が相対的に容易とされる第２の遊技状態への制御を実行可能な遊技状態制御手段と、
前記特別抽選手段による前記特別抽選の結果に基づいて、演出表示にかかる制御を実行可能な演出表示制御手段と
を備え、
前記特別変動制御手段は、
前記第１の遊技状態において普通図柄の変動表示が開始されてから前記所定時間が経過していないにもかかわらず、前記第２の遊技状態に移行制御され、且つ、前記特別抽選手段による前記特別抽選が前記第１受入口への遊技球の受け入れに応じて行われる場合、所定の表示部における特別図柄の変動表示を行うにあたり、前記特別抽選の結果に基づいて、当該変動表示に要する前記特別変動時間として、前記第１の遊技状態にあるときに前記普通変動時間決定手段により決定された普通図柄の変動時間よりも長い変動時間を決定可能な第１制御手段、
前記第１の遊技状態において普通図柄の変動表示が開始されてから前記所定時間が経過していないにもかかわらず、前記第２の遊技状態に移行制御され、且つ、該第２の遊技状態に移行制御されるときに前記第２受入口に対応させて待機状態とされている特別抽選の数が所定数以上の状況にあるなかで該待機状態とされている特別抽選が行われる場合、所定の表示部における特別図柄の変動表示を行うにあたり、前記特別抽選の結果に基づいて、当該変動表示に要する前記特別変動時間として、前記第１の遊技状態にあるときに前記普通変動時間決定手段により決定された普通図柄の変動時間よりも短い変動時間を決定可能な第２制御手段、
前記第１の遊技状態において普通図柄の変動表示が開始されてから前記所定時間が経過していないにもかかわらず、前記第２の遊技状態に移行制御され、且つ、該第２の遊技状態に移行制御されるときに前記第２受入口に対応させて待機状態とされている特別抽選の数が所定数未満の状況にあるなかで該待機状態とされている特別抽選が行われる場合、所定の表示部における特別図柄の変動表示を行うにあたり、前記特別抽選の結果に基づいて、当該変動表示に要する前記特別変動時間として、前記第１の遊技状態にあるときに前記普通変動時間決定手段により決定された普通図柄の変動時間よりも長い変動時間を決定可能な第３制御手段、及び
前記第１の遊技状態において前記第１受入口に対応させて待機状態とされている特別抽選が行われる場合、所定の表示部における特別抽選の変動表示を行うにあたり、前記特別抽選の結果に基づいて、当該変動表示に要する前記特別変動時間として、前記第１受入口に対応させて待機状態とされている特別抽選の数に応じて変動時間を決定するとともに、該待機状態とされている特別抽選の数が所定数以上である場合には、該待機状態とされている特別抽選の数が所定数未満である場合に決定される特別変動時間よりも短い変動時間を決定可能な第４制御手段
を有するものであり、
前記特別抽選手段は、
前記第２受入口に遊技球が受け入れられたことに応じて前記特別抽選を行うときは、前記第１受入口に遊技球が受け入れられたことに応じて前記特別抽選を行うときよりもその内容を優賞とする遊技機であって、さらに、
演出動作が可能な演出役物と、
前記第１受入口に遊技球が受け入れられたことに基づいて特別抽選が行われた場合と、前記第２受入口に遊技球が受け入れられたことに基づいて前記優賞とされる側である特別抽選が行われた場合とのいずれの場合においても、特別抽選の結果に基づいて前記演出役物を特定の動作態様にて演出動作させる特定制御を実行可能な演出動作制御手段と
を備え、
前記第２制御手段は、
前記第１の遊技状態において普通図柄の変動表示が開始されてから前記所定時間が経過していないにもかかわらず、前記第２の遊技状態に移行制御され、且つ、該第２の遊技状態に移行制御されるときに前記第２受入口に対応させて待機状態とされている特別抽選の数が所定数以上の状況にあるなかで行われた前記特別抽選の結果が大当たりである場合、該特別抽選の結果が大当たりであることに基づいて、前記第１の遊技状態にあるときに前記普通変動時間決定手段により決定された普通図柄の変動時間よりも長い複数の変動時間から一の変動時間を決定可能であるとともに、
前記第１の遊技状態において普通図柄の変動表示が開始されてから前記所定時間が経過していないにもかかわらず、前記第２の遊技状態に移行制御され、且つ、該第２の遊技状態に移行制御されるときに前記第２受入口に対応させて待機状態とされている特別抽選の数が所定数以上の状況にあるなかで該待機状態とされている特別抽選が行われる場合、前記特別抽選の結果に基づいて、当該変動表示に要する前記特別変動時間として、前記第１の遊技状態にあるときに前記普通変動時間決定手段により決定された普通図柄の変動時間よりも短い変動時間を決定するにあたり、前記第１受入口に対応させて待機状態とされている特別抽選の数が所定数以上である場合に前記第４制御手段により決定される前記特別変動時間よりも、さらに短い変動を決定可能に構成されてなる
ことを特徴とする遊技機。
【請求項２】
前記特別抽選手段は、前記第１受入口及び前記第２受入口のいずれかに遊技球が受け入れられたことに応じて特別抽選用の乱数を取得し、この取得した乱数に基づいて前記特別抽選を行うものである
請求項１に記載の遊技機。
【請求項３】
前記普通抽選手段は、前記普通受入口に遊技球が受け入れられることに応じて普通抽選用の乱数を取得し、この取得した乱数に基づいて前記普通抽選を行うものである
請求項１または２に記載の遊技機。
【手続補正２】
【補正対象書類名】明細書
【補正対象項目名】０００５
【補正方法】変更
【補正の内容】
【０００５】
しかしながら、特許文献１や特許文献２に記載された遊技機では、興趣が低下するという虞があった。
【手続補正３】
【補正対象書類名】明細書
【補正対象項目名】０００６
【補正方法】削除
【補正の内容】
【手続補正４】
【補正対象書類名】明細書
【補正対象項目名】０００７
【補正方法】変更
【補正の内容】
【０００７】
本発明は、こうした実情に鑑みてなされたものであり、興趣の低下を抑制することを目的とする。
【手続補正５】
【補正対象書類名】明細書
【補正対象項目名】０００８
【補正方法】変更
【補正の内容】
【０００８】
手段１：遊技領域に向けて遊技球が打ち込まれる遊技盤と、
前記遊技領域に向けて打ち込まれた遊技球に対して常に開口される第１受入口と、
可動部材を有し、前記遊技領域に向けて打ち込まれた遊技球に対して該可動部材が開閉動作したときに開口される第２受入口と、
前記遊技領域に設けられる普通受入口と、
前記普通受入口に遊技球が受け入れられることに応じて普通抽選を行う普通抽選手段と、
前記普通抽選手段により前記普通抽選が行われることに基づいて所定の表示部に変動表示される普通図柄の変動時間を決定する普通変動時間決定手段と、
前記普通変動時間決定手段により決定された変動時間だけ前記普通図柄を変動表示させる普通変動制御手段と、
前記普通抽選手段による抽選結果が所定の結果であるとき、前記普通変動時間決定手段により決定される所定時間だけ前記普通図柄を変動表示させた後、前記可動部材を開閉動作させる制御を行う開口制御手段と、
前記第１受入口、及び前記可動部材の開閉動作によって開口された前記第２受入口のいずれかに遊技球が受け入れられたことに応じて特別抽選を行う特別抽選手段と、
前記特別抽選手段により前記特別抽選が行われるとき、所定の表示部に表示される特別図柄の変動表示を行うにあたり、当該変動表示に要する特別変動時間を決定し、該決定された特別変動時間だけ前記特別図柄を変動表示させる特別変動制御手段と、
前記特別抽選手段による前記特別抽選の結果が大当たりであることに応じて、遊技者により賞球が獲得可能とされる特別遊技についての制御を実行可能な特別遊技制御手段と、
前記特別遊技制御手段により特別遊技が行われた後に、前記第２受入口への入球が相対的に困難とされる第１の遊技状態から、該第１の遊技状態よりも前記第２受入口の開口頻度が高められて同第２受入口への入球が相対的に容易とされる第２の遊技状態への制御を実行可能な遊技状態制御手段と、
前記特別抽選手段による前記特別抽選の結果に基づいて、演出表示にかかる制御を実行可能な演出表示制御手段と
を備え、
前記特別変動制御手段は、
前記第１の遊技状態において普通図柄の変動表示が開始されてから前記所定時間が経過していないにもかかわらず、前記第２の遊技状態に移行制御され、且つ、前記特別抽選手段による前記特別抽選が前記第１受入口への遊技球の受け入れに応じて行われる場合、所定の表示部における特別図柄の変動表示を行うにあたり、前記特別抽選の結果に基づいて、当該変動表示に要する前記特別変動時間として、前記第１の遊技状態にあるときに前記普通変動時間決定手段により決定された普通図柄の変動時間よりも長い変動時間を決定可能な第１制御手段、
前記第１の遊技状態において普通図柄の変動表示が開始されてから前記所定時間が経過していないにもかかわらず、前記第２の遊技状態に移行制御され、且つ、該第２の遊技状態に移行制御されるときに前記第２受入口に対応させて待機状態とされている特別抽選の数が所定数以上の状況にあるなかで該待機状態とされている特別抽選が行われる場合、所定の表示部における特別図柄の変動表示を行うにあたり、前記特別抽選の結果に基づいて、当該変動表示に要する前記特別変動時間として、前記第１の遊技状態にあるときに前記普通変動時間決定手段により決定された普通図柄の変動時間よりも短い変動時間を決定可能な第２制御手段、
前記第１の遊技状態において普通図柄の変動表示が開始されてから前記所定時間が経過していないにもかかわらず、前記第２の遊技状態に移行制御され、且つ、該第２の遊技状態に移行制御されるときに前記第２受入口に対応させて待機状態とされている特別抽選の数が所定数未満の状況にあるなかで該待機状態とされている特別抽選が行われる場合、所定の表示部における特別図柄の変動表示を行うにあたり、前記特別抽選の結果に基づいて、当該変動表示に要する前記特別変動時間として、前記第１の遊技状態にあるときに前記普通変動時間決定手段により決定された普通図柄の変動時間よりも長い変動時間を決定可能な第３制御手段、及び
前記第１の遊技状態において前記第１受入口に対応させて待機状態とされている特別抽選が行われる場合、所定の表示部における特別抽選の変動表示を行うにあたり、前記特別抽選の結果に基づいて、当該変動表示に要する前記特別変動時間として、前記第１受入口に対応させて待機状態とされている特別抽選の数に応じて変動時間を決定するとともに、該待機状態とされている特別抽選の数が所定数以上である場合には、該待機状態とされている特別抽選の数が所定数未満である場合に決定される特別変動時間よりも短い変動時間を決定可能な第４制御手段
を有するものであり、
前記特別抽選手段は、
前記第２受入口に遊技球が受け入れられたことに応じて前記特別抽選を行うときは、前記第１受入口に遊技球が受け入れられたことに応じて前記特別抽選を行うときよりもその内容を優賞とする遊技機であって、さらに、
演出動作が可能な演出役物と、
前記第１受入口に遊技球が受け入れられたことに基づいて特別抽選が行われた場合と、前記第２受入口に遊技球が受け入れられたことに基づいて前記優賞とされる側である特別抽選が行われた場合とのいずれの場合においても、特別抽選の結果に基づいて前記演出役物を特定の動作態様にて演出動作させる特定制御を実行可能な演出動作制御手段と
を備え、
前記第２制御手段は、
前記第１の遊技状態において普通図柄の変動表示が開始されてから前記所定時間が経過していないにもかかわらず、前記第２の遊技状態に移行制御され、且つ、該第２の遊技状態に移行制御されるときに前記第２受入口に対応させて待機状態とされている特別抽選の数が所定数以上の状況にあるなかで行われた前記特別抽選の結果が大当たりである場合、該特別抽選の結果が大当たりであることに基づいて、前記第１の遊技状態にあるときに前記普通変動時間決定手段により決定された普通図柄の変動時間よりも長い複数の変動時間から一の変動時間を決定可能であるとともに、
前記第１の遊技状態において普通図柄の変動表示が開始されてから前記所定時間が経過していないにもかかわらず、前記第２の遊技状態に移行制御され、且つ、該第２の遊技状態に移行制御されるときに前記第２受入口に対応させて待機状態とされている特別抽選の数が所定数以上の状況にあるなかで該待機状態とされている特別抽選が行われる場合、前記特別抽選の結果に基づいて、当該変動表示に要する前記特別変動時間として、前記第１の遊技状態にあるときに前記普通変動時間決定手段により決定された普通図柄の変動時間よりも短い変動時間を決定するにあたり、前記第１受入口に対応させて待機状態とされている特別抽選の数が所定数以上である場合に前記第４制御手段により決定される前記特別変動時間よりも、さらに短い変動を決定可能に構成されてなる
ことを特徴とする遊技機。
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】削除
【補正の内容】
【手続補正１１】
【補正対象書類名】明細書
【補正対象項目名】００１４
【補正方法】削除
【補正の内容】
【手続補正１２】
【補正対象書類名】明細書
【補正対象項目名】００１５
【補正方法】削除
【補正の内容】
【手続補正１３】
【補正対象書類名】明細書
【補正対象項目名】００１６
【補正方法】削除
【補正の内容】
【手続補正１４】
【補正対象書類名】明細書
【補正対象項目名】００１７
【補正方法】削除
【補正の内容】
【手続補正１５】
【補正対象書類名】明細書
【補正対象項目名】００１８
【補正方法】削除
【補正の内容】
【手続補正１６】
【補正対象書類名】明細書
【補正対象項目名】００１９
【補正方法】削除
【補正の内容】
【手続補正１７】
【補正対象書類名】明細書
【補正対象項目名】００２０
【補正方法】削除
【補正の内容】
【手続補正１８】
【補正対象書類名】明細書
【補正対象項目名】００２１
【補正方法】削除
【補正の内容】
【手続補正１９】
【補正対象書類名】明細書
【補正対象項目名】００２２
【補正方法】削除
【補正の内容】
【手続補正２０】
【補正対象書類名】明細書
【補正対象項目名】００２３
【補正方法】削除
【補正の内容】
【手続補正２１】
【補正対象書類名】明細書
【補正対象項目名】００２４
【補正方法】削除
【補正の内容】
【手続補正２２】
【補正対象書類名】明細書
【補正対象項目名】００２５
【補正方法】削除
【補正の内容】
【手続補正２３】
【補正対象書類名】明細書
【補正対象項目名】００２６
【補正方法】削除
【補正の内容】
【手続補正２４】
【補正対象書類名】明細書
【補正対象項目名】００２７
【補正方法】削除
【補正の内容】
【手続補正２５】
【補正対象書類名】明細書
【補正対象項目名】００２８
【補正方法】削除
【補正の内容】
【手続補正２６】
【補正対象書類名】明細書
【補正対象項目名】００２９
【補正方法】削除
【補正の内容】
【手続補正２７】
【補正対象書類名】明細書
【補正対象項目名】００３０
【補正方法】削除
【補正の内容】
【手続補正２８】
【補正対象書類名】明細書
【補正対象項目名】００３１
【補正方法】削除
【補正の内容】
【手続補正２９】
【補正対象書類名】明細書
【補正対象項目名】００３２
【補正方法】削除
【補正の内容】
【手続補正３０】
【補正対象書類名】明細書
【補正対象項目名】００３３
【補正方法】削除
【補正の内容】
【手続補正３１】
【補正対象書類名】明細書
【補正対象項目名】００３４
【補正方法】削除
【補正の内容】
【手続補正３２】
【補正対象書類名】明細書
【補正対象項目名】００３５
【補正方法】削除
【補正の内容】
【手続補正３３】
【補正対象書類名】明細書
【補正対象項目名】００３６
【補正方法】変更
【補正の内容】
【００３６】
本発明によれば、興趣の低下を抑制することができる。